(57)【特許請求の範囲】
【請求項１】
衝撃吸収体（１）に嵌合溝（２）を形成し、この嵌合溝（２）に鞄（Ｂ）の角部（ｅ）を嵌合した後、前記角部（ｅ）と前記角部（ｅ）を挟み込む前記衝撃吸収体（１）とを一纏めに縫着することで前記衝撃吸収体（１）をその鞄（Ｂ）の角部（ｅ）に縫着可能としたことを特徴とする鞄用保護材。
【請求項２】
前記衝撃吸収体（１）の平面形状を略Ｌ字形にし、前記嵌合溝（２）の断面形状を略Ｕ字形にしたことを特徴とする請求項１記載の鞄用保護材。
【請求項３】
前記衝撃吸収体（１）の平面形状を略コ字形にし、前記嵌合溝（２）の断面形状を略Ｕ字形にしたことを特徴とする請求項１記載の鞄用保護材。
【請求項４】
前記嵌合溝（２）は、断面形状において、開口から延びる直線部分と、前記開口に対して前記直線部分と反対側に設けられた湾曲部分とを含む、請求項２または３に記載の鞄用保護材。
【請求項５】
前記衝撃吸収体（１）を弾性ゴム成形体および高弾性樹脂成形体のいずれかからなるものとしたことを特徴とする請求項１〜４のいずれかに記載の鞄用保護材。
【発明の詳細な説明】
【技術分野】
【０００１】
この発明は、ランドセルやリュックサック等の背負い鞄、学生鞄やビジネスバッグ等のショルダーバッグ、その他各種の鞄に用いられる鞄用保護材に関するものである。
【背景技術】
【０００２】
従来、この種の鞄用保護材Ｍは、図７に示したように、平面形状を略コ字形状とした皮革材等の平板からなるものとしており、ランドセルＲの背部１１の下部周縁に沿わせ、縫着したものが存在する（特許文献１）。
【０００３】
このような鞄用保護材Ｍが取り付けられたランドセルＲは、ランドセルＲの背部１１の下部縁の角部ｅが背面側から補強されることにより、この角部ｅが傷みにくくなり、長期間の使用に耐えることができるものとなる。
【０００４】
さらに、この種の鞄用保護材Ｍは、図８に示したように、皮革材等の細長い生地からなるものとしており、ランドセルＲの背部２１の下辺と底襠部２２の後辺を重ね合わせて縫着すると共に、ランドセルＲの背部２１の両側辺と左右襠部２３のそれぞれの後辺を重ね合わせて縫着するときに、これらの部分を取り囲むように当てて、一纏めにして同時に縫着するようにしたものが存在する（特許文献２）。
【０００５】
このような鞄用保護材Ｍが取り付けられたランドセルＲは、ランドセルＲの背部２１の下部縁の角部ｅが背面側からだけではなく、側面側や下面側からも補強されて、この角部ｅが傷みにくくなり、長期間の使用に耐えることができるものとなる。
【特許文献１】特開２０００−４９１７号公報（図５）
【特許文献２】特開２００３−３３９４１９号公報（図１）
【発明の開示】
【発明が解決しようとする課題】
【０００６】
しかしながら、図７に示したような従来の鞄用保護材は、平板からなるものとしているため、前記したようにランドセルＲの背部１１の下部周縁に沿わせたときに、この下部周縁に位置決めがしにくく移動してしまい、ランドセルＲの背部１１の下部縁の角部ｅへの縫着が困難であるという問題点を有していた。
【０００７】
さらに、図８に示した従来の鞄用保護材は、細長い生地からなるものとしているため、前記したようにランドセルＲの背部２１の下部分を取り囲むように当てたときに、その取り囲んだ形状を維持することができず、元の形状に戻ってしまい、ランドセルＲの背部２１の下部縁の角部ｅへの縫着が困難であるという問題点を有していた。
【０００８】
そこで、この発明は、上記従来の問題点を解決するものであり、各種の鞄の角部に非常に取り付け易いものとすると共に、衝撃吸収性能に非常に優れた鞄用保護材を提供することを目的としてなされたものである。
【課題を解決するための手段】
【０００９】
この発明の鞄用保護材は、衝撃吸収体１に嵌合溝２を形成し、この嵌合溝２に鞄Ｂの角部ｅを嵌合した後、角部ｅと角部ｅを挟み込む衝撃吸収体１とを一纏めに縫着することで前記衝撃吸収体１をその鞄Ｂの角部ｅに縫着可能としたものとしている。
【００１０】
そして、この発明の鞄用保護材は、前記衝撃吸収体１の平面形状を略Ｌ字形にし、前記嵌合溝２の断面形状を略Ｕ字形にしている。
【００１１】
さらに、この発明の鞄用保護材は、前記衝撃吸収体１の平面形状を略コ字形にし、前記嵌合溝２の断面形状を略Ｕ字形にしている。
【００１２】
また、この発明の鞄用保護材では、前記嵌合溝２は、断面形状において、開口から延びる直線部分と、前記開口に対して前記直線部分と反対側に設けられた湾曲部分とを含んでいる。上記の鞄用保護材は、前記衝撃吸収体１を弾性ゴム成形体および高弾性樹脂成形体のいずれかからなるものとしている。
【発明の効果】
【００１３】
この発明の鞄用保護材は、以上に述べたように構成されているので、各種の鞄の角部に非常に取り付け易いものとなると共に、衝撃吸収性能に非常に優れたものとなり、各種の鞄に好適に用いられるものとなる。
【発明を実施するための最良の形態】
【００１４】
以下、この発明の鞄用保護材を実施するための最良の形態を、図面に基づいて詳細に説明する。
【００１５】
この発明の鞄用保護材Ｍは、衝撃吸収体１に嵌合溝２を形成し、この嵌合溝２に鞄Ｂの角部ｅを嵌合した後、前記衝撃吸収体１をその鞄Ｂの角部ｅに縫着可能としたものとしている。図示したこの発明の鞄用鞄用保護材Ｍは、ランドセルの背部３の下部周縁の角部ｅに縫着可能としたものとしているが、各種の鞄Ｂにおける角部ｅであればどのような個所であってもよい。
【００１６】
前記衝撃吸収体１は、平面形状を略Ｌ字形にし、嵌合溝２の断面形状を略Ｕ字形にしている。このようにした衝撃吸収体１は、図１〜３に示したように、ランドセルの背部３の下部縁の角部ｅのみに嵌合して縫着されるものとしている。
【００１７】
さらに、前記衝撃吸収体１は、平面形状を略コ字形にし、嵌合溝２の断面形状を略Ｕ字形にすることもできる。このようにした衝撃吸収体１は、図４〜６に示したように、ランドセルの背部３の下辺全域と下部縁の角部ｅに嵌合して縫着されるものとしている。
【００１８】
また、前記衝撃吸収体１は、弾性ゴム成形体や高弾性樹脂成形体からなるものとしており、鞄Ｂを落としたり、鞄Ｂに物が当たったりした場合に、角部ｅが変形しないようにすると共に、角部ｅが衝撃を吸収することにより、鞄Ｂの収納物を傷つけたりしないようにしている。なお、前記衝撃吸収体１は、弾性ゴム成形体や高弾性樹脂成形体からなるものとしているので、一体成形することによって、任意の形状、大きさの嵌合溝２が形成し易いものとなる。
【００１９】
以上のように構成したこの発明の鞄用保護材Ｍは、例えばランドセルを製造する場合、背部３の両側辺部と、左右襠部４の後辺部のそれぞれを重ね合わせて縫着すると共に、背部３の下辺部と底襠部５の後辺部を重ね合わせて縫着して、これらを連結しようとするときに、図１、３に示したように、背部３の下部縁の角部ｅに、または図４、６に示したように、背部３の下辺全域と下部縁の角部ｅに、その嵌合溝２を嵌合させ、これらを一纏めにして同時に縫着するものとしている。なお、図示した例では、背部３の両側辺部と、左右襠部４の後辺部のそれぞれを縫着すると共に、背部３の下辺部と底襠部５の後辺部を縫着するときに、縁生地６を介在させたものとして体裁良くしているが、鞄Ｂの種類等によってはこの縁生地６は介在させなくてもよい。
【００２０】
このようにすることにより、この発明の鞄用保護材Ｍは、ランドセルの背部３の下部縁の角部ｅに嵌合したときに、この状態で位置決めされ移動しないので、前記したように一纏めにして同時に縫着する場合にその作業が簡単なものとなる。
【００２１】
したがって、この発明の鞄用保護材Ｍは、各種の鞄Ｂの角部ｅに非常に取り付け易いものとなると共に、衝撃吸収性能に非常に優れたものとなる。
【図面の簡単な説明】
【００２２】
【図１】この発明の鞄用保護材の一実施形態を示しており、鞄の角部に取り付ける前の状態の斜視図である。
【図２】図１中のＡ−Ａ線によるこの発明の鞄用保護材の断面図である。
【図３】図１に示すこの発明の鞄用保護材を鞄の角部に取り付けた状態を示す斜視図である。
【図４】この発明の鞄用保護材の他の実施形態を示しており、鞄の角部に取り付ける前の状態の斜視図である。
【図５】図４中のＢ−Ｂ線によるこの発明の鞄用保護材の断面図である。
【図６】図４に示すこの発明の鞄用保護材を鞄の角部に取り付けた状態を示す斜視図である。
【図７】従来の鞄用保護材を鞄に取り付けた状態の一例を示す斜視図である。
【図８】従来の鞄用保護材を鞄に取り付けた状態の他の例を示す斜視図である。
【符号の説明】
【００２３】
１  衝撃吸収体
２  嵌合溝
Ｂ  鞄
ｅ  角部
【図１】
0005148232.tif 000002
【図２】
0005148232.tif 000003
【図３】
0005148232.tif 000004
【図４】
0005148232.tif 000005
【図５】
0005148232.tif 000006
【図６】
0005148232.tif 000007
【図７】
0005148232.tif 000008
【図８】
0005148232.tif 000009